【手続補正書】
【提出日】平成24年12月10日(2012.12.10)
【手続補正１】
【補正対象書類名】特許請求の範囲
【補正対象項目名】全文
【補正方法】変更
【補正の内容】
【特許請求の範囲】
【請求項１】
Ｗｅｂサーバから提供される操作画面を表示するＷｅｂブラウザを備えた情報処理装置であって、
前記Ｗｅｂブラウザに表示された操作画面を介してユーザにより指示された指示内容に従った第１の要求データを前記Ｗｅｂサーバに送信する第１の送信手段と、
前記第１の送信手段が送信した第１の要求データに対する応答データを前記Ｗｅｂサーバから受信し、該受信した応答データに従って画像処理を実行する実行手段と、
前記Ｗｅｂサーバからの応答データに基づいて、前記Ｗｅｂサーバに第２の要求データを送信する第２の送信手段と、を備え、
前記Ｗｅｂサーバからの応答データは、前記実行手段が画像処理を実行するときに発生し得るイベントに応じてアクセスすべき複数のアドレスを含み、
前記第２の送信手段は、前記複数のアドレスのうち、前記実行手段が画像処理を実行するときに発生したイベントに応じたアドレスに対して、前記第２の要求データを送信することを特徴とする情報処理装置。
【請求項２】
前記複数のアドレスは、互いに異なるＵＲＬであることを特徴とする請求項１に記載の情報処理装置。
【請求項３】
前記Ｗｅｂサーバからの応答データは、他の応答データと識別するための識別データを含み、
前記第２の送信手段は、前記Ｗｅｂサーバに前記識別データを含む前記第２の要求データを送信することを特徴とする請求項１または２に記載の情報処理装置。
【請求項４】
前記Ｗｅｂサーバからの応答データは、前記Ｗｅｂブラウザのタイムアウト時間を規定した設定データを含み、
前記第２の送信手段は、前記Ｗｅｂサーバからの応答データを受信してから前記タイムアウト時間が経過した場合に、タイムアウトイベントに応じたアドレスに対して、前記第２の要求データを送信することを特徴とする請求項１乃至３のいずれか１項に記載の情報処理装置。
【請求項５】
前記実行手段が実行する画像処理は、原稿上の画像を読み取って画像データを生成する処理であることを特徴とする請求項１乃至４のいずれか１項に記載の情報処理装置。
【請求項６】
前記Ｗｅｂサーバからの応答データは、スクリプトを含むことを特徴とする請求項１乃至５のいずれか１項に記載の情報処理装置。
【請求項７】
Ｗｅｂブラウザを備える情報処理装置に操作画面を提供するＷｅｂサーバであって、
前記Ｗｅｂブラウザに表示された操作画面を介してユーザにより指示された指示内容に従った第１の要求データを、前記情報処理装置から受信する第１の受信手段と、
前記第１の受信手段が受信した第１の要求データに対する応答データを前記情報処理装置に送信する送信手段と、
前記応答データに基づく第２の要求データを前記情報処理装置から受信する第２の受信手段と、を有し、
前記応答データは、前記情報処理装置が当該応答データに従って画像処理を実行するときに発生し得るイベントに応じてアクセスすべき複数のアドレスを含み、
前記第２の受信手段は、前記複数のアドレスのうち、前記情報処理装置が画像処理を実行するときに発生したイベントに応じたアドレスに対して送信された前記第２の要求データを受信することを特徴とするＷｅｂサーバ。
【請求項８】
前記複数のアドレスは、互いに異なるＵＲＬであることを特徴とする請求項７に記載のＷｅｂサーバ。
【請求項９】
前記送信手段が送信する応答データは、他の応答データと識別するための識別データを含み、
前記受信手段は、前記識別データを含む前記第２の要求データを受信することを特徴とする請求項７または８に記載のＷｅｂサーバ。
【請求項１０】
前記送信手段が送信する応答データは、前記Ｗｅｂブラウザのタイムアウト時間を規定した設定データを含み、
前記受信手段は、前記情報処理装置が前記応答データを受信してから前記タイムアウト時間が経過した場合に、タイムアウトイベントに応じたアドレスに対して送信された前記第２の要求データを受信することを特徴とする請求項７乃至９のいずれか１項に記載のＷｅｂサーバ。
【請求項１１】
前記画像処理は、原稿上の画像を読み取って画像データを生成する処理であることを特徴とする請求項７乃至１０のいずれか１項に記載のＷｅｂサーバ。
【請求項１２】
前記送信手段が送信する応答データは、スクリプトを含むことを特徴とする請求項７乃至１１のいずれか１項に記載のＷｅｂサーバ。
【請求項１３】
Ｗｅｂサーバから提供される操作画面を表示するＷｅｂブラウザを備えた情報処理装置の制御方法であって、
前記Ｗｅｂブラウザに表示された操作画面を介してユーザにより指示された指示内容に従った第１の要求データを前記Ｗｅｂサーバに送信する第１の送信工程と、
前記第１の送信工程で送信した第１の要求データに対する応答データを前記Ｗｅｂサーバから受信し、該受信した応答データに従って画像処理を実行する実行工程と、
前記Ｗｅｂサーバからの応答データに基づいて、前記Ｗｅｂサーバに第２の要求データを送信する第２の送信工程と、を有し、
前記Ｗｅｂサーバからの応答データは、前記実行工程で画像処理を実行するときに発生し得るイベントに応じてアクセスすべき複数のアドレスを含み、
前記第２の送信工程では、前記複数のアドレスのうち、前記実行工程で画像処理を実行するときに発生したイベントに応じたアドレスに対して、前記第２の要求データを送信することを特徴とする制御方法。
【請求項１４】
Ｗｅｂブラウザを備える情報処理装置に操作画面を提供するＷｅｂサーバの制御方法であって、
前記Ｗｅｂブラウザに表示された操作画面を介してユーザにより指示された指示内容に従った第１の要求データを、前記情報処理装置から受信する第１の受信工程と、
前記第１の受信工程で受信した第１の要求データに対する応答データを前記情報処理装置に送信する送信工程と、
前記応答データに基づく第２の要求データを前記情報処理装置から受信する第２の受信工程と、を有し、
前記応答データは、前記情報処理装置が当該応答データに従って画像処理を実行するときに発生し得るイベントに応じてアクセスすべき複数のアドレスを含み、
前記第２の受信工程では、前記複数のアドレスのうち、前記情報処理装置が画像処理を実行するときに発生したイベントに応じたアドレスに対して送信された前記第２の要求データを受信することを特徴とする制御方法。
【請求項１５】
コンピュータを請求項１乃至６のいずれか１項に記載の情報処理装置の各手段として機能させるためのプログラム。
【請求項１６】
コンピュータを請求項７乃至１２のいずれか１項に記載のＷｅｂサーバの各手段として機能させるためのプログラム。
【手続補正２】
【補正対象書類名】明細書
【補正対象項目名】発明の名称
【補正方法】変更
【補正の内容】
【発明の名称】情報処理装置、Ｗｅｂサーバ、それらの制御方法、及びプログラム
【手続補正３】
【補正対象書類名】明細書
【補正対象項目名】０００１
【補正方法】変更
【補正の内容】
【０００１】
本発明は、Ｗｅｂサーバから提供される操作画面を表示するＷｅｂブラウザを備えた情報処理装置及び当該Ｗｅｂサーバに関する。
【手続補正４】
【補正対象書類名】明細書
【補正対象項目名】００１１
【補正方法】変更
【補正の内容】
【００１１】
本発明は、上記問題点に鑑みてなされたものであり、Ｗｅｂサーバから要求された処理に対する実行状況に応じてアクセス先を切り替え可能とする情報処理装置及び当該Ｗｅｂサーバを提供するものである。
【手続補正５】
【補正対象書類名】明細書
【補正対象項目名】００１２
【補正方法】変更
【補正の内容】
【００１２】
上記課題を解決するため、本発明に係る情報処理装置は、Ｗｅｂサーバから提供される操作画面を表示するＷｅｂブラウザを備えた情報処理装置であって、前記Ｗｅｂブラウザに表示された操作画面を介してユーザにより指示された指示内容に従った第１の要求データを前記Ｗｅｂサーバに送信する第１の送信手段と、前記第１の送信手段が送信した第１の要求データに対する応答データを前記Ｗｅｂサーバから受信し、該受信した応答データに従って画像処理を実行する実行手段と、前記Ｗｅｂサーバからの応答データに基づいて、前記Ｗｅｂサーバに第２の要求データを送信する第２の送信手段と、を備え、前記Ｗｅｂサーバからの応答データは、前記実行手段が画像処理を実行するときに発生し得るイベントに応じてアクセスすべき複数のアドレスを含み、前記第２の送信手段は、前記複数のアドレスのうち、前記実行手段が画像処理を実行するときに発生したイベントに応じたアドレスに対して、前記第２の要求データを送信することを特徴とする。また、本発明に係るＷｅｂサーバは、Ｗｅｂブラウザを備える情報処理装置に操作画面を提供するＷｅｂサーバであって、前記Ｗｅｂブラウザに表示された操作画面を介してユーザにより指示された指示内容に従った第１の要求データを、前記情報処理装置から受信する第１の受信手段と、前記第１の受信手段が受信した第１の要求データに対する応答データを前記情報処理装置に送信する送信手段と、前記応答データに基づく第２の要求データを前記情報処理装置から受信する第２の受信手段と、を有し、前記応答データは、前記情報処理装置が当該応答データに従って画像処理を実行するときに発生し得るイベントに応じてアクセスすべき複数のアドレスを含み、前記第２の受信手段は、前記複数のアドレスのうち、前記情報処理装置が画像処理を実行するときに発生したイベントに応じたアドレスに対して送信された前記第２の要求データを受信することを特徴とする。
【手続補正６】
【補正対象書類名】明細書
【補正対象項目名】００１３
【補正方法】変更
【補正の内容】
【００１３】
本発明によれば、Ｗｅｂサーバから要求された処理に対する実行状況に応じてアクセス先を切り替え可能とする情報処理装置及び当該Ｗｅｂサーバを提供することができる。